(57)【要約】【課題】  本発明は外部に送信しているプラントデータのうち、読まれたくないデータをデータ毎に保護できるようにする。【解決手段】  外部に送信しているプラントデータのうち、プラントを運転・監視・保守している側で読まれたくないデータを選択し選択されたデータのみマスクすることで外部に送信しているデータを保護する。【効果】  このように、外部に送信するデータのうち読まれたくないデータをプラントの運転・監視・保守を行う側で任意に指定し、データを読めなくすることができるので、データ毎に保護ができるとともに無人化されたプラントや外部にデータを送るか送らないの判別ができる者がプラントに存在しなくても速やかにデータの選択ができるのでコスト低減を図ることができる。【選択図】図１
2004171557.tif 000002
【特許請求の範囲】
【請求項１】
監視対象であるプラントと、前記プラントと通信回線を介して接続されプラント情報を受信する監視部と、前記プラント或いは前記監視部と通信回線を介して接続されプラント情報を受信し、該プラント情報に基づいて保守情報を求める保守情報提供部とを有するプラントシステムにおいて、前記監視部は、前記プラントデータのうち一部の情報を制限して前記保守情報提供部に転送するか、或いは、前記通信回線を介して前記プラント情報の一部が制限されるよう制限指示信号を送信するデータ選択手段を有することを特徴とするプラントシステム。
【請求項２】
請求項１において、前記保守情報提供部はメンテナンスサービスに関する情報を送信することを特徴とするプラントシステム。
【請求項３】
請求項２において、前記プラントは前記保守情報提供部から、保守情報を受けることを特徴とするプラントシステム。
【請求項４】
請求項１において、前記保守情報は、データ解析・障害解析などのメンテナンスサービスに関する情報であることを特徴とするプラントシステム。
【請求項５】
請求項１に記載のプラント監視システムにおいて、前記プラントは、前記データ選択手段によって選択されたデータとあらかじめ決めておいた文字，数値又は記号とを置き換えて送信する機能を有することを特徴とするプラントシステム
【請求項６】
監視対象であるプラントのプラントデータを保守情報提供部に送信するものであって、プラントデータのうち一部の情報を制限して転送するか、或いは、プラント情報の一部が制限されるように前記保守情報部に送信されるよう制限指示信号を送信するプラントデータ選択手段を有することを特徴とするプラント監視装置。
【請求項７】
監視対象であるプラントのプラントデータを保守情報提供部に送信する方法であって、プラントデータのうち一部の情報を制限して転送するか、或いは、プラント情報の一部が制限されて前記保守情報提供部に送信されるよう制限指示信号を送信するプラントデータ選択方法。
【請求項８】
請求項７に記載のプラントデータ選択方法において、前記プラントは、前記送信したくないデータとあらかじめ決めておいた文字，数値又は記号とを置き換えて送信することを特徴とするプラントデータ選択方法。
【発明の詳細な説明】
【技術分野】
【０００１】
本発明は、プラントシステム，プラント監視装置、及びプラントデータ選択方法に関し、特に、プラントの情報をプラント外部で監視，解析を行うのに好適なものに関する。
【背景技術】
【０００２】
プラント監視のために、監視対象であるプラント側から、プラントを監視する監視側に、プラントの運転状態を示すデータ等を通信回線を介して送信している。プラントデータには守秘性が高いものが含まれている。そのため、例えば特開２０００−２０７３１８号公報に記載されているように、監視対象側で、外部に送信するデータと送信しないデータを選択していた。また、データの守秘性を高めるためには、データに秘密レベルを付加し、監視対象側の状態と秘密レベルによってデータを送信するかしないかを識別している。さらに、パスワードを付与し、パスワードを付与したものからデータの送信要求とパスワードが送信された場合に、秘密性の高いレベルのデータを送信するようにしている。
【０００３】
【特許文献１】特開２０００−２０７３１８号公報
【発明の開示】
【発明が解決しようとする課題】
【０００４】
しかしながら、上記の従来の技術では、監視対象側で外部に送信するデータを選択しているため、どのデータを送ってよいのかを判断することができる者やデータの選択を行う装置を操作できる者が監視対象側にいなければデータを選択することができなかった。また、無人のプラントを外部でリモート運転・監視・保守を行っている場合にもデータの選択をするためには制御対象側まで行って選択しなければならないという問題があった。
【０００５】
また、プラントと離れたところでプラントの運転・監視・保守を行っている場合、プラント側でデータを選択したのでは運転・監視・保守を行う側で必要なデータが必要なときに受信できないとの問題が生じる可能性があった。
【０００６】
さらに、プラントの運転・監視・保守を行っている側がプラントと離れたところにあり、プラントの運転・監視・保守を行う側から送信されたデータを使用して専門的な保守情報を提供するプラントの運転・監視・保守の形態をとっている場合、プラント側でデータの選択を行うだけでは上記問題とともに、運転・監視・保守を行う側から専門的な保守情報を提供する側にデータを送信する際にデータの選択ができないために、営業秘密や経営に関するデータや情報などのデータが保護できないという問題があった。
【０００７】
本発明の目的は、上記の問題点の少なくとも一つを解決するものであり、プラント側にデータの選択を行うものが存在しない場合や、プラント側でデータを選択したのではデータの保護やプラント運転・監視・保守ができない場合に、データ通信が可能なものを提供することにある。
【課題を解決するための手段】
【０００８】
上記目的を達成するために、監視対象であるプラントのプラントデータを保守情報提供部に送信するものであって、プラントデータのうち一部の情報を制限して転送するか、或いは、プラント情報の一部が制限されて前記保守情報提供部に送信されるよう制限指示信号を送信するように構成した。
【０００９】
あるいは、プラントの運転・監視・保守を行う側と監視対象のプラント側とを通信回線を介して接続し、また、プラントの運転・監視・保守を行う側とより専門的な保守情報を提供する側とを通信回線を介して接続し、プラントの運転・監視・保守を行う側ではプラントから送られてくるデータを使用してプラントを運転・監視・保守し、より専門的な保守情報を提供する側ではプラントの運転・監視・保守を行う側から送信されたデータを使用してプラントのデータ解析・障害解析などのメンテナンスを行うものにおいて、運転・監視・保守を行う側にデータの選択手段を設けた。
【００１０】
また、プラントの運転・監視・保守を行う側，監視対象のプラント側，プラントの運転・監視・保守を行う側とを通信回線を介して接続し、プラントの運転・監視・保守を行う側ではプラントから送られてくるデータを使用してプラントの状態を運転・監視し、より専門的な保守情報を提供する側では監視対象のプラント側から送信されたデータを使用してプラントのメンテナンスを行うものにおいて、プラント側からより専門的な保守情報を提供する側に送信するデータを任意に選択できるようにするためのデータ選択手段をプラントの運転・監視・保守を行う側で設けた。
【００１１】
さらに、より専門的な保守情報を提供する側に送っているデータの中で外部でデータを読まれたくない場合は、より専門的な保守情報を提供する側に送っているデータの中で読まれたくないデータを選択し、選択したデータの内容を読めなくするための手段を設けた。
【発明の効果】
【００１２】
外部に送信するデータのうち読まれたくないデータをプラントの運転・監視・保守を行う側で任意に指定し、データを読めなくすることができるので、データ毎に保護ができるとともに、無人化されたプラントや外部にデータを送るか送らないの判別ができる者がプラントに存在しなくても速やかにデータの選択ができるのでコスト低減を図ることができる。
【発明を実施するための最良の形態】
【００１３】
以下本発明の実施例を図１から図８を用いて説明する。
【００１４】
図１は本発明の一構成例を示す。
【００１５】
図１においてプラントの運転・監視・保守を行っている運転監視センター５０（或いは、これは端末で構成し、プラント監視端末と称する。以下同様。），運転・監視・保守対象のプラント５１，保守情報提供者５２（或いは、これは端末で構成し、保守情報提供端末と称する。以下同様。）は通信回線で接続されており（或いは、保守情報提供部と称する。以下、同様。）、保守情報提供者５２は運転監視センター５０からプラント情報を通信でもらい、プラントのデータ解析・障害解析などのメンテナンスを行っている。
【００１６】
プラント５１は制御装置Ｅ（８），制御装置Ｆ（８），制御装置Ｇ（８）によって制御され各制御装置からネットワーク２０を介してプラントの状態量・制御量などのプラント情報をデータ伝送装置Ａに送りデータ伝送装置はプラント情報を通信部７で受け運転監視センター５０に送信するデータを通信部５からネットワーク２１に送信する。データ伝送装置Ａ（データ伝送装置Ａは端末を形成し、或いは、プラント部と称する。）の記憶装置６は運転センターに送るデータの項目を記憶している。
【００１７】
運転監視センター５０ではプラントから送られてきたデータをデータ伝送装置Ｂ（データ伝送装置Ｂは端末を形成し、或いは、監視部と称する。）の通信部４で受け記憶装置２に記憶し、送られてきたデータを使用してプラントの運転・監視・保守を行っている。また、運転センターは保守情報提供者５２にプラントのメンテナンスに必要な情報を通信部４からネットワーク２１に送る。ネットワークはインターネットのような公共的なネットワークでも良く、また専用のものでも良い。
【００１８】
保守情報提供者５２は運転監視センター５０から送られたデータをデータ伝送装置Ｃ
（データ伝送装置Ｃは端末を形成し、或いは、保守情報提供部と称する。）の通信部９で受け記憶装置１１に記憶する。保守情報提供者は運転センターから送られてきたデータを使用してデータ解析・障害解析を行っている。
【００１９】
運転監視センター５０では保守情報提供者５２に対してデータを送信するが、プラントから送られてくるデータを全て送信したのでは営業秘密や、経営に関わる情報が保守情報提供者５２に出て行く恐れがあるため、保守情報提供者５２に送る情報はあらかじめデータ選択手段１によって決めておき、決められたデータのみを保守情報提供者５２に送る。保守情報提供者５２に送るデータの項目，送信順序，プラントからデータを送ってきた制御装置の名称は記憶装置２に保存される。保守情報提供者５２に送っているデータ中あるデータについては試験中など保守情報提供者５２に出したくない時期がある。このため、データ選択手段１によって保守情報提供者５２に送信するデータのうち送りたくない項目を選択する。この送らないという情報も記憶装置２に保存される。データを送信する際にはマスク手段２５によって指定されたデータを保守情報提供者５２が読めなくすることでデータの保護を行う。
【００２０】
図２は運転監視センター５０から保守情報提供者５２に送るデータを選択するとともに、保守情報提供者５２に送るデータの中から保守情報提供者５２に読まれたくないデータを選択する選択手段のうち、保守情報提供者５２に送るデータを選択する一例である。
【００２１】
データ選択手段１は保守情報提供者５２に送るデータの項目、各々のデータを送信しているプラント５１内の制御装置などの情報２３をプラントを運転センター員が選択するための入力装置２７と、選択するデータの項目を表示する表示装置２４と、入力したデータの項目，各々のデータを送信しているプラント内の制御装置などの情報２３を保存するための記憶装置２で構成される。保守情報提供者５２に送信するデータには、タービン回転数，水蒸気圧力，水蒸気温度，燃料量，給水流量，ＣＯ２ 濃度，ＮＯＸ量，ＮＨ３ 量などがあり、各々のデータを送信しているプラント内の制御装置Ｅ（８），制御装置Ｆ(８)，制御装置Ｇ（８）を表示している。
【００２２】
運転センター員はプラント５１から送信されるデータを表示装置２４に表示させ、プラント５１から送信されるデータの中から保守情報提供者５２へ送信するデータを入力装置２７によって選択し、記憶装置２に保存する。
【００２３】
図３は運転監視センター５０から保守情報提供者５２に送るデータを選択するとともに、保守情報提供者５２に送るデータの中から保守情報提供者５２に読まれたくないデータを選択する選択手段１の動作の一例である。
【００２４】
保守情報提供者５２に送信するデータには、タービン回転数，水蒸気圧力，水蒸気温度，燃料量，給水流量，ＣＯ２ 濃度，ＮＯＸ量，ＮＨ３ 量などがあり、各々のデータを送信しているプラント内の制御装置Ｅ（８），制御装置Ｆ（８），制御装置Ｇ（８）を表示している。また、送信するデータの順番を付記したＮo.を表示している。保守情報提供者５２に送っているデータに対し、保守情報提供業者５２にデータを読まれたくない場合には送信条件欄にＮＧを設定し、記憶装置２に保存する。またデータを読まれても良くなった場合には送信条件欄のＮＧを削除し、記憶装置２に保存する。
【００２５】
図４はデータの送信条件によって送信するデータを読めなくするよう値を変更してマスクする際のデータ伝送装置の動作フローである。ステップ４０１で、記憶装置２に記憶されている。例えば、図３の２３に示される内容を比較し、データにＮＧは付加されているか判断する。付加されていれば、ステップ４０２でデータをそのまま送信する。付加されていければ、ステップ４０３でデータを＊＊＊＊に変更して送信する。このフローを各項目毎に操り返す。このように運転センター側で送信条件にＮＧとしたデータは送信処理を行う際に該当データを＊＊＊＊に変更して送信し、送信条件がＮＧとなっていないデータはそのままの値を送信する。運転センターと保守情報提供者との間で、運転センターから送信しているデータを送信したくない場合は＊＊＊＊をデータとして送信することをあらかじめ決めておくことで、保守提供業者は＊＊＊＊が送られてきたときには運転センターがデータを送りたくないのだということを認識できるとともにデータの保護ができる効果がある。また、読まれたくないデータを＊＊＊＊などのコードに置き換えて送信することでデータの順番がずれることを防ぐ効果も期待できる。
【００２６】
図５はデータの送信条件によって送信するデータを読めなくするよう値を変更してマスクする際のデータの一例を示す。すなわち、運転監視センター５０から送信されるデータの一例である。
【００２７】
保守情報提供者５２に送信するプラント情報は送信条件にＮＧが設定されていない場合は、送信データ３５のように、送信項目３６に対応したデータ並びで、かつ、数値や文字などプラントから送られてきた値を送信する。
【００２８】
送信項目３７のように送信条件にＮＧが設定されている場合は、送信データ３８のように、送信項目３７に対応したデータ並びで、送信項目３７の送信条件にＮＧが設定されている項目についてはその項目に対応したデータの値を＊＊＊＊と置き換えて送信する。
【００２９】
図６は本発明の別の実施例を示す。なお、前実施例と異なる部分を説明しており、説明が省略されている部分は実質的に同じである。
【００３０】
図６はプラントの情報をプラント５１側から保守情報提供者５２に送信する場合の構成で、データマスク手段３０をプラント側に設けたものある。運転監視センター５０のデータ選択手段１で選択された送信したくないデータ項目すなわち、図４でＮＧが付加されたデータを含む保守情報提供者側に送信するデータの項目をネットワーク２１を介して通信部４からプラント側に送り、プラント側の記憶装置６に保存する。プラント側では記憶装置６に保存している送信データ項目を保守情報提供者にネットワーク２１を介して通信部５から送信する。データ送信の際、項目にＮＧが付加されているデータはデータマスク手段３０によりデータをマスクして保守情報提供者５２側にマスクしたデータを送信する。
【００３１】
これにより、プラント側でデータの選択を行う者が存在しなくてもデータの選択ができる。
【００３２】
図７は本発明の別の実施例を示す。
【００３３】
図７はプラントの運転・監視・保守を行う運転監視センター５０がプラント５１内にある場合の構成で、プラントの制御用ネットワーク２０に運転監視センター５０のデータ伝送装置Ｂが通信部５５を介して接続されたものである。プラントは制御装置Ｅ（８），制御装置Ｆ（８），制御装置Ｇ（８）によって制御され各制御装置からネットワーク２０を介してプラントの状態量・制御量などのプラント情報をデータ伝送装置Ｂに送信する。データ伝送装置Ｂの記憶装置２は制御装置Ｅ（８），制御装置Ｆ（８），制御装置Ｇ（８）から送信されたデータの項目と内容を記憶している。
【００３４】
運転監視センター５０では制御装置Ｅ（８），制御装置Ｆ（８），制御装置Ｇ（８）から送られてきたデータをデータ伝送装置Ｂの通信部４で受け記憶装置２に記憶し、送られてきたデータを使用してプラントの運転・監視・保守を行っている。また、運転監視センター５０は保守情報提供者５２宛にプラントのメンテナンスに必要な情報を通信部４からネットワーク２１に送る。
【００３５】
保守情報提供者５２は運転監視センター５０から送られたデータをデータ伝送装置Ｃの通信部９で受け記憶装置１１に記憶する。保守情報提供者５２は運転監視センター５０から送られてきたデータを使用してデータ解析・障害解析を行っている。
【００３６】
運転監視センター５０では保守情報提供者５２に対してデータを送信するが、プラントから送られてくるデータを全て送信したのでは営業秘密や、経営に関わる情報が保守情報提供者５２に出て行く恐れがあるため、保守情報提供者５２に送る情報はあらかじめ決めておき、決められたデータのみを保守情報提供者５２に送る。保守情報提供者５２に送るデータの項目，送信順序，プラントからデータを送ってきた制御装置の名称は記憶装置２に保存される。保守情報提供者５２に送っているデータ中にあるデータについては試験中など保守情報提供者５２に出したくない時期がある。このため、データ選択手段１によって保守情報提供者５２に送信するデータのうち送りたくない項目を選択する。この送らないという情報も記憶装置２に保存される。データを送信する際にはデータマスク手段２５によって指定されたデータを保守情報提供者５２が読めなくすることでデータの保護を行う。
【００３７】
図８はプラントから送信されたデータを使用してプラントのメンテナンスを行うサービスの一実施例を示す。保守情報提供者５２はプラント５１から通信回線２１を介して受信し、記憶装置１１に記憶したプラント情報６１から障害解析，プラント特性解析などの情報解析を行い作成した解析結果や、制御パラメータなどのプラントのメンテナンス情報
６２を記憶装置１１に保存し、通信部９より、ネットワーク２１を介して運転監視センター５０に送信する。運転監視センター５０は送信されたメンテナンス情報を通信部４で受け取り、記憶装置２に保存する。運転監視センター５０では記憶装置２に保存されたメンテナンス情報６３よりプラントに与える制御パラメータ，故障個所の情報等の指令情報
６４を作成し、記憶装置２に保存する。記憶装置２に保存された指令情報６４は運転監視センター５０の通信部４からネットワーク２１を介してプラント５１に送信される。送信された指令情報のうち例えば制御パラメータ等の制御情報はデータ伝送装置Ａを経由し、ネットワーク５０を介し制御装置Ｅに送られ、制御装置Ｅ内の制御パラメータが変更されるとともに、データ伝送装置Ａ内の記憶装置６に保存され、変更された制御情報の履歴を保存する。また、運転センターからプラント５１に送られた指令情報６４のうち例えば故障個所を特定するような障害要因データはデータ伝送装置Ａの記憶装置６に保存され、メンテナンス情報として表示部６６に表示される。プラント５１の保守員は表示部６６に表示された故障個所を示すメンテナンス情報よりプラント５１内の故障個所の部品交換などの対応を迅速に行うことができる。
【図面の簡単な説明】
【００３８】
【図１】本発明の一実施例のシステム構成図である。
【図２】保守情報提供者へ送るデータの選択手段の一実施例である。
【図３】保守情報提供者へ送るデータのうち見せたくないデータを選択する選択手段の一実施例である。
【図４】データをマスクするときのフローである。
【図５】データをマスクしたときの一実施例である。
【図６】本発明の他の一実施例のシステム構成図である。
【図７】本発明の他の一実施例のシステム構成図である。
【図８】本発明のメンテナンスサービスの一実施例である。
【符号の説明】
【００３９】
１…データ選択手段、２…記憶装置、４…通信部、８…制御装置、２０…ネットワーク、２５…マスク手段、５０…運転監視センター、５１…プラント、５２…保守情報提供者。
【図１】
2004171557.tif 000003
【図２】
2004171557.tif 000004
【図３】
2004171557.tif 000005
【図４】
2004171557.tif 000006
【図５】
2004171557.tif 000007
【図６】
2004171557.tif 000008
【図７】
2004171557.tif 000009
【図８】
2004171557.tif 000010